(57)【特許請求の範囲】
【請求項１】
導光板と、該導光板の一側縁に対向する複数の固体発光素子とを筐体内に収容してなるバックライトユニットを液晶パネルの背面に対向するように取り付け、前記固体発光素子が実装された素子基板と、前記筐体の背面に取り付けてあり、前記固体発光素子の制御回路を含む主基板及び／又は前記固体発光素子の電源回路を含む電源基板とを、前記筐体の該当位置に開設された窓孔を介して前記素子基板に接続され、前記筐体の背面に沿わせて配線されるハーネスにより接続してある液晶表示装置において、
前記窓孔を前記筐体の背面に架設された補強フレームの近傍に形成し、前記ハーネスを前記補強フレームの内部を通して配線してあり、
前記窓孔の開口位置と前記補強フレームとの間をハーネスカバーにより覆ってあることを特徴とする液晶表示装置。
【請求項２】
前記窓孔は、前記補強フレームの内部に一部を含めて開設してあることを特徴とする請求項１に記載の液晶表示装置。
【請求項３】
導光板と、該導光板の一側縁に対向する複数の固体発光素子とを筐体内に収容してなるバックライトユニットを液晶パネルの背面に対向するように取り付け、前記固体発光素子が実装された素子基板と前記筐体の背面に取り付けてあり、前記固体発光素子の制御回路を含む主基板及び／又は前記固体発光素子の電源回路を含む電源基板とを、前記筐体の該当位置に開設された窓孔を通して前記素子基板に接続され、前記筐体の背面に沿わせて配線されるハーネスにより接続してある液晶表示装置において、
前記窓孔を前記筐体の背面に架設された補強フレームの内部に形成し、前記ハーネスを前記補強フレームの内部を通して配線してあることを特徴とする液晶表示装置。
【請求項４】
前記補強フレームは、門形断面を有し、両側の脚部を前記筐体の背面に当てて取り付けてあることを特徴とする請求項１から請求項３のいずれか１つに記載の液晶表示装置。
【請求項５】
請求項１から請求項４のいずれか１つに記載の液晶表示装置と、
テレビジョン放送を受信する受信部とを備え、
該受信部にて受信したテレビジョン放送に基づいて、前記液晶表示装置に画像を表示するようにしてあることを特徴とするテレビジョン受信機。
【発明の詳細な説明】
【技術分野】
【０００１】
本発明は、液晶パネルを画像表示部として備える液晶表示装置及びテレビジョン受信機に関する。
【背景技術】
【０００２】
液晶表示装置は、液晶パネルの背面にバックライトを配置し、該バックライトの発光を液晶パネルにより変調して透過させ、該液晶パネルの正面に画像を表示するように構成されている。この液晶表示装置においては、近年、消費電力の低減と薄型化とを併せて実現するために、ＬＥＤ（発光ダイオード）を光源とするエッジライト型のバックライトが採用されている（例えば、特許文献１参照）。
【０００３】
エッジライト型のバックライトは、液晶パネルの背面に対向配置される導光板と、該導光板の一側縁に沿って並ぶ複数のＬＥＤとを備え、これらを矩形皿形の筐体（バックライトシャーシ）内に収容して構成されている。複数のＬＥＤは、長寸短冊形をなすＬＥＤ基板に単列又は複列に並べて実装され、実装面を導光板の一側縁に対向させて取り付けてある。各ＬＥＤは、前記ＬＥＤ基板の一部に設けたコネクタを介して主基板及び電源基板に接続され、電源基板からの電力供給により主基板に構成された制御回路の動作に応じて発光する。これらの発光は、導光板内に一側縁から入射し、液晶パネルとの対向面の全面から出射される。
【先行技術文献】
【特許文献】
【０００４】
【特許文献１】国際公開第２００８／１０８０３９号パンフレット
【発明の概要】
【発明が解決しようとする課題】
【０００５】
特許文献１に開示された液晶表示装置において、バックライトシャーシには、内部のＬＥＤ基板に設けたコネクタの該当位置に窓孔が開設されており、ＬＥＤ基板は、この窓孔を介して前記コネクタに接続されたハーネスにより前記主基板及び電源基板に接続してある。前記ハーネスは、バックライトシャーシの背面上で引き回され、適宜の止め具により中途部を止めることで配線処理している。
【０００６】
さて、一般的な液晶表示装置は、液晶パネルの正面側に画像の表示領域を囲うように枠形の正面キャビネットを組み付け、この正面キャビネットの背面側に背面キャビネットを組み付けて構成されている。背面キャビネットは、バックライトシャーシの背面を全面に亘って覆い、前述した主基板、電源基板、ハーネス等、前記背面の取り付け部品を保護すべく設けられている。
【０００７】
一方、近年における液晶表示装置の大型化に伴い、前述した主基板、電源基板等の取り付け部位のみを局所的にカバーで覆い、背面全体を覆う大面積の背面キャビネットを省略する試みがなされている。しかしながらこの構成においては、前述の如くバックライトシャーシの背面に引き回されるハーネスが露出した状態で存在するため、該ハーネスが、使用状態下で不可避の接触により損傷、断線する虞れがあり、バックライトを含む液晶表示装置の動作不良を引き起こすという問題がある。
【０００８】
この問題は、前記主基板、電源基板等と同様に、ハーネスの露出部を専用のカバーで覆うことで解決し得るが、ハーネスの引き回し態様は種々に異なり、全てについて対応可能なカバー部材を設けることは難しく、また可能であったとしても、部品点数の増加が不可避であり、液晶表示装置の製品コストの上昇を招来するという問題があった。
【０００９】
本発明は斯かる事情に鑑みてなされたものであり、バックライトシャーシの背面全体を覆う背面キャビネットを省略した構成において、バックライトシャーシの背面に配線されるハーネスを確実に覆い、損傷、断線等の不具合の発生を防止することができる液晶表示装置及びテレビジョン受信機を提供することを目的とする。
【課題を解決するための手段】
【００１０】
本発明に係る液晶表示装置は、導光板と、該導光板の一側縁に対向する複数の固体発光素子とを筐体内に収容してなるバックライトユニットを液晶パネルの背面に対向するように取り付け、前記固体発光素子が実装された素子基板と、前記筐体の背面に取り付けてあり、前記固体発光素子の制御回路を含む主基板及び／又は前記固体発光素子の電源回路を含む電源基板とを、前記筐体の該当位置に開設された窓孔を介して前記素子基板に接続され、前記筐体の背面に沿わせて配線されるハーネスにより接続してある液晶表示装置において、前記窓孔を前記筐体の背面に架設された補強フレームの近傍に形成し、前記ハーネスを前記補強フレームの内部を通して配線してあり、前記窓孔の開口位置と前記補強フレームとの間をハーネスカバーにより覆ってあることを特徴とする。
【００１１】
本発明においては、バックライトユニットを補強するために筐体の背面に架設される補強フレームを利用し、該補強フレームの近傍に設けた窓孔を介して素子基板に接続されたハーネスを補強フレームの内部を通して主基板及び／又は電源基板の取り付け位置に導き、該位置から引き出して主基板及び／又は電源基板に接続し、窓孔と補強フレームとの間のハーネスの露出部だけをハーネスカバーにより覆う。ハーネスカバーの大きさ、形状は、窓孔と補強フレームとの位置関係のみによって定まるから、多くの機種において共通のハーネスカバーを使用し得る。
【００１２】
また本発明に係る液晶表示装置は、前記窓孔が、前記補強フレームの内部に一部を含めて開設してあることを特徴とする。
【００１３】
本発明においては、窓孔の一部が補強フレームの内部に位置しており、窓孔の開口位置と補強フレームとの間を覆うハーネスカバーを小型化することができる。
【００１４】
また本発明に係る液晶表示装置は、導光板と、該導光板の一側縁に対向する複数の固体発光素子とを筐体内に収容してなるバックライトユニットを液晶パネルの背面に対向するように取り付け、前記固体発光素子が実装された素子基板と前記筐体の背面に取り付けてあり、前記固体発光素子の制御回路を含む主基板及び／又は前記固体発光素子の電源回路を含む電源基板とを、前記筐体の該当位置に開設された窓孔を通して前記素子基板に接続され、前記筐体の背面に沿わせて配線されるハーネスにより接続してある液晶表示装置において、前記窓孔を前記筐体の背面に架設された補強フレームの内部に形成し、前記ハーネスを前記補強フレームの内部を通して配線してあることを特徴とする。
【００１５】
本発明においては、筐体内部の素子基板にハーネスを接続するための窓孔を筐体の背面に架設される補強フレームの内部に開設し、窓孔を介して素子基板に接続されるハーネスを補強フレーム内の直接的に導入し、該補強フレーム内を通して主基板及び／又は電源基板の配設位置に導き、これらの基板に接続する。これによってハーネスカバーを省略することができる。
【００１６】
また本発明に係る液晶表示装置は、前記補強フレームは、門形断面を有し、両側の脚部を前記筐体の背面に当てて取り付けてあることを特徴とする。
【００１７】
本発明においては、門形断面を有する補強フレームを、筐体の背面に脚部を当てて取り付け、補強フレームと筐体の背面との間にハーネスの配設空間を十分に確保する。
【００１８】
また本発明に係るテレビジョン受信機は、上記のいずれかに記載の液晶表示装置と、テレビジョン放送を受信する受信部とを備え、該受信部にて受信したテレビジョン放送に基づいて、前記液晶表示装置に画像を表示するようにしてあることを特徴とする。
【００１９】
本発明においては、背面キャビネットを省略した簡素な構成のテレビジョン受信機を提供する。
【発明の効果】
【００２０】
本発明においては、バックライトユニットの筐体背面に架設された補強フレームの内部を、筐体内部の素子基板と、筐体の背面に取り付けた主基板及び／又は電源基板とを接続するハーネスの配線空間として利用したから、背面キャビネットを省略した構成を、ハーネスの損傷、断線等の不具合を生じることなく実現することができる等、本発明は優れた効果を奏する。
【図面の簡単な説明】
【００２１】
【図１】実施の形態１に係る液晶表示装置を略示する分解斜視図である。
【図２】ＬＥＤ基板の斜視図である。
【図３】ＬＥＤ基板の固定部の拡大断面図である。
【図４】バックライトシャーシの背面側から見た液晶表示装置の平面図である。
【図５】バックライトシャーシの背面側から見た液晶表示装置の平面図である。
【図６】ハーネスの接続部を拡大して示す平面図である。
【図７】図４の VIIーVII 線による補強フレームの断面図である。
【図８】実施の形態２の液晶表示装置の背面図である。
【図９】実施の形態２のハーネスの接続部を拡大して示す平面図である。
【図１０】実施の形態３の液晶表示装置の背面図である。
【図１１】実施の形態３のハーネスの接続部を拡大して示す平面図である。
【発明を実施するための形態】
【００２２】
以下本発明をその実施の形態を示す図面に基づいて詳述する。図１は、実施の形態１に係る液晶表示装置を略示する分解斜視図である。本図に示す如く液晶表示装置は、画像表示用の液晶パネル１と、該液晶パネル１の背面側に光を照射するバックライトユニット２とを備えている。
【００２３】
液晶パネル１は、アレー基板とカラーフィルタ基板との間に液晶を封入し、視野拡大シート、反射防止シート等の光学シートを一面に被着し、偏光板を両面に積層してなる公知の構成を有している。図１中には、以上の如き液晶パネル１を矩形板状のパネルとして略示してあり、該液晶パネル１の正面（画像表示面）側には、矩形枠形をなす正面キャビネット１０が、周縁部を適幅に亘って縁取るように組み付けてある。
【００２４】
バックライトユニット２は、バックライトシャーシ２０と導光板２１とＬＥＤ基板２２とを備えている。バックライトシャーシ２０は、浅底皿形をなす矩形の筐体である。導光板２１は、アクリル樹脂等の透光性を有する樹脂製の平板の一面に反射部を、他面に拡散部を夫々設けてなる光学部材であり、液晶パネル１と略同寸の矩形に成形され、反射部の形成面をバックライトシャーシ２０の底面に向け、該底面の略全体を覆うようにバックライトシャーシ２０に収容されている。
【００２５】
図２は、ＬＥＤ基板２２の斜視図である。図示の如くＬＥＤ基板２２は、長寸の短冊形をなし、その一面には、複数のＬＥＤ２３，２３…が、等間隔毎に単列に並べて実装されている。ＬＥＤ２３は、例えば、青色光を発光するＬＥＤ素子の表面を黄色蛍光体が分散された樹脂で封止してなる表面実装型ＬＥＤであり、白色光を発光する光源として構成されている。なお、ＬＥＤ２３は、表面実装型以外の形式のＬＥＤであってもよく、ＬＥＤ２３に代えて、有機ＥＬ素子等の他の固体発光素子を用いることもできる。
【００２６】
ＬＥＤ基板２２は、長手方向の一端部近傍に幅方向外向きに張り出す張り出し部２４を備えており、該張り出し部２４には、コネクタ２５が設けてある。コネクタ２５は、電源線、信号線を含むハーネス６（図６参照）の接続に使用されている。またＬＥＤ基板２２には、固定孔２６が形成されている。固定孔２６は、ＬＥＤ基板２２を表裏に貫通形成され、ＬＥＤ基板２２の固定用ねじを通すために使用される貫通孔であり、相隣するＬＥＤ２３，２３間に位置し、ＬＥＤ基板２２の長手方向複数箇所に設けてある。
【００２７】
以上の如く構成されたＬＥＤ基板２２は、図１に示す如く、長手方向に３つ並べて導光板２１の一方の長側縁に沿って配置してある。図３は、ＬＥＤ基板２２の固定部の拡大断面図である。
【００２８】
図示のようにバックライトシャーシ２０の周縁部には、背面に対して略垂直に立ち上がり、先端部で屈曲されて外向きに延びる固定フランジ２７が設けてある。バックライトシャーシ２０は、固定フランジ２７を正面キャビネット１０に背面側から重ね、固定ねじ１１による複数箇所の締め付けにより正面キャビネット１０に固定されている。
【００２９】
バックライトシャーシ２０の縁部において、固定フランジ２７と正面キャビネット１０との間には、ヒートシンク２８が挾持されている。また図３中には、バックライトシャーシ２０の背面に架設される補強フレーム３も図示されている。該補強フレーム３は、固定フランジ２７の背面側に端部を重ね、固定ねじ１１により、バックライトシャーシ２０及びヒートシンク２８と共締め固定されている。
【００３０】
ヒートシンク２８は、固定フランジ２７と正面キャビネット１０とによる挾持部から略直角に屈曲され、導光板２１の側縁に対向する固定部を有しており、ＬＥＤ基板２２は、ＬＥＤ２３，２３…の実装面を導光板２１の側に向け、前記固定部に固定されている。この固定は、前記固定孔２６に通した固定ねじ（図示せず）をヒートシンク２８の該当位置に設けたねじ孔に締め付け固定することにより達成される。
【００３１】
ヒートシンク２８は、アルミニウム等の熱伝導性に優れた金属製の板であり、ＬＥＤ２３，２３…の動作時の発熱を固定フランジ２７に伝え、該固定フランジ２７を備えるバックライトシャーシ２０の全面から外部に放熱させるように作用する。図２に示す如く固定孔２６は、ＬＥＤ基板２２の長手方向に延びる長孔としてあり、ＬＥＤ２３，２３…の発熱によるＬＥＤ基板２２とヒートシンク２８との伸長差を吸収可能に構成されている。
【００３２】
以上の如く構成されたバックライトユニット２は、図１に示す如く、バックライトシャーシ２０に収容された導光板２１が液晶パネル１に対向するように位置合わせし、前述したように、バックライトシャーシ２０を正面キャビネット１０に固定することにより、該正面キャビネット１０及び液晶パネル１に組付けられて液晶表示装置を構成している。
【００３３】
このように構成された液晶表示装置において、ＬＥＤ基板２２に実装されたＬＥＤ２３の発光は、これに対向する導光板２１内に側縁から入射し、導光板２１内で反射を繰り返して伝播し、拡散部が設けられた液晶パネル１との対向面の全面から出射されて液晶パネル１の背面に照射される。液晶パネル１は、背面側に照射されるバックライト２の発光を変調して正面側に透過させ、該正面に画像を表示する。
【００３４】
図４、図５は、バックライトシャーシ２０の背面側から見た液晶表示装置の平面図であり、図４は、後述する基板カバー及びハーネスカバーの取り付け前の状態を、図５は、同じく取り付け後の状態を夫々示している。図の上下方向は、液晶表示装置の使用状態での上下関係に方向させてあり、以下の説明においては、図４、図５における上下、左右を使用する。
【００３５】
バックライトシャーシ２０内のＬＥＤ基板２２は、バックライトシャーシ２０の上側縁に沿って配設してある。バックライトシャーシ２０の背面には、２本の補強フレーム３、３が取り付けられている。これらは、バックライトシャーシ２０の長手方向中央部の左右両側に振り分け配置され、上側縁と下側縁との間に架設されている。このように架設された補強フレーム３，３は、バックライトシャーシ２０を背面側から押え、該バックライトシャーシ２０の変形を防止する作用をなす。
【００３６】
これらの補強フレーム３，３の夫々には，幅方向中央部に上下方向位置を合わせて各２箇所の係止孔３０，３０が設けられている。これらの係止孔３０，３０は、液晶表示装置を壁掛け設置する際に、壁面に設けた支持具（図示せず）を掛け止めするために使用される。
【００３７】
バックライトシャーシ２０の下部背面には、補強フレーム３，３の左右両側に主基板４及び電源基板５が取り付けてある。一方、バックライトシャーシ２０の上部側縁には、補強フレーム３，３の上端部の左右両側に窓孔２９，２９が開設してある。
【００３８】
窓孔２９，２９の開口位置は、バックライトシャーシ２０内に前述の如く固定されたＬＥＤ基板２２のコネクタ２５の位置に対応している。窓孔２９，２９は、夫々から露出するコネクタ２５にハーネス６の一端を接続するために設けてある。
【００３９】
図６は、ハーネスの接続部を拡大して示す平面図である。本図に示す如く、バックライトシャーシ２０に設けられた窓孔２９は、補強フレーム３の架設位置の近傍に位置しており、前述の如く、バックライトシャーシ２０の内側に上縁に沿って固定されたＬＥＤ基板２２のコネクタ２５は、窓孔２９から外部に露出している。なお図６に示す窓孔２９は、図４、５において左側に位置する窓孔２９であり、該窓孔２９からは、２つのＬＥＤ基板２２，２２の突き合わせ端部に設けられたコネクタ２５，２５が露出している。
【００４０】
ハーネス６の一端部には、コネクタ２５に接続可能な接続部６ａが設けてあり、ハーネス６は、前記接続部６ａを対応するコネクタ２５に差し込むことでＬＥＤ基板２２に接続される。図６は、接続前の状態が示されており、ハーネス６の接続部は、窓孔２９から露出するコネクタ２５に紙面の表面側から裏面側に向けて差し込むことで接続される。
【００４１】
このようにコネクタ２５に接続されたハーネス６は、窓孔２９に近接する補強フレーム３の内部に、同側に開設された導入口３ａを経て導入され、図４中に破線により示す如く、補強フレーム３の内側を通して下方に導かれ、補強フレーム３の下部から引き出して主基板４及び電源基板５に接続される。
【００４２】
図６に示す如く左側の窓孔２９には、２つのコネクタ２５，２５が露出しており、同側の補強フレーム３内には、図４に示す如く、夫々のコネクタ２５，２５に接続された２本のハーネス６，６が通される。一方、右側の窓孔２９には、１つのコネクタ２５が露出するのみであり、同側の補強フレーム３内には、図４に示す如く、１本のハーネス６が通される。
【００４３】
図７は、図４の VIIーVII 線による補強フレーム３の断面図である。本図に示す如く補強フレーム３は、板材の両側を同向きに折り曲げて等長の脚部を設けてなる門形の断面形状を有しており、両脚部の先端をバックライトシャーシ２０の背面に当て、該背面との間に空洞を設けるように取り付けられており、この空洞がハーネス６の配設空間として利用されている。
【００４４】
主基板４は、ＬＥＤ基板２２に実装されたＬＥＤ２３，２３…の発光を制御する制御回路を含み、また電源基板５は、ＬＥＤ２３，２３…の電源回路を含んでおり、前述の如くハーネス６を介して主基板４及び電源基板５に接続される各ＬＥＤ２３は、前記制御回路から与えられる制御信号に従って、前記電源回路からの電力供給によって発光せしめられる。
【００４５】
液晶表示装置は、以上の如くハーネス６を接続した後、バックライトシャーシ２０の背面に基板カバー４０，５０及びハーネスカバー６０を取り付けて構成される。図５に示す如く、基板カバー４０，５０は、主基板４及び電源基板５と共に、補強フレーム３の下部から導出されるハーネス６を覆うように取り付けてあり、使用状態での主基板４、電源基板５及びハーネス６への不用意な接触を防止する作用をなす。
【００４６】
一方ハーネスカバー６０は、バックライトシャーシ２０の背面上部に設けた窓孔２９の開口位置を、補強フレーム３の上部に導入されるハーネス６と共に覆うように取り付けてあり、使用状態でのハーネス６への外部からの接触を防止すると共に、前記窓孔２９の開口部を遮蔽し、バックライトシャーシ２０内での各ＬＥＤ２３の発光が外部に漏れ出すことを防止する作用をなす。
【００４７】
なお、バックライトシャーシ２０の下部背面には、液晶パネル１を制御する液晶制御基板７も取り付けてある。液晶制御基板７は、左右の補強フレーム３，３間に配し、両補強フレーム３，３間に掛け渡された基板カバー７０により覆ってある。
【００４８】
以上の如く構成された液晶表示装置においては、バックライトシャーシ２０の背面全体を覆う背面キャビネットを省略し、前記背面に取り付けた主基板４、電源基板５及び液晶制御基板７を各別の基板カバー４０，５０，７０により局所的に覆ってあるから、使用状態での主基板４、電源基板５及び液晶制御基板７への接触を防止して安全性を確保することができると共に、薄形化の要求を満たし、構成の簡素化による製品コストの削減を図ることができる。なお、基板カバー４０，５０，７０は、単一のカバー部材として構成することもできる。
【００４９】
バックライトシャーシ２０には、内部のＬＥＤ基板２２のコネクタ２５に対応するように窓孔２９を設け、該窓孔２９を通して前記コネクタ２５に接続されるハーネス６をバックライトシャーシ２０の背面に架設された補強フレーム３内を通して主基板４及び電源基板５の取り付け位置に導き、これらの基板４，５に接続してあるから、バックライトシャーシ２０の背面にハーネス６が露出せず、使用状態でのハーネス６への接触を未然に防止し、該ハーネス６の損傷、断線による不具合の発生を回避することが可能となる。
【００５０】
また窓孔２９の開口部と補強フレーム３との間は、ハーネスカバー６０により覆ってあるから、窓孔２９と補強フレーム３間のハーネス６も外部に露出せず、損傷、断線等の不具合の発生を防止することができる。窓孔２９は、補強フレーム３の近傍に開設してあるから、窓孔２９と補強フレーム３との間は、小サイズのハーネスカバー６０により、窓孔２９の開口部を含めて覆うことができる。ハーネスカバー６０の形状及び大きさは、窓孔２９と補強フレーム３との相対的な位置関係に依存するのみであり、窓孔２９と補強フレーム３との位置関係は、バックライトシャーシ２０のサイズの如何に拘らず適宜に設定し得る。従って、種々のサイズの液晶表示装置に対して共通のハーネスカバー６０を用いることができ、部品点数の増加を最小限に抑えることができる。
【００５１】
図８は、実施の形態２の液晶表示装置の背面図、図９は、実施の形態２のハーネスの接続部を拡大して示す平面図である。実施の形態２おいては、図９に示す如く、配線接続用の窓孔２９が、補強フレーム３の内側に一部（半部）を含めて形成してある。図９と逆側（右側）の窓孔２９についても、同側の補強フレーム３の内側に一部（半部）を含めて形成してある。この構成によれば、図８に示す如く、窓孔２９，２９と補強フレーム３，３との間を覆うハーネスカバー６０，６０を更に小型化することができる。なお図８は、ハーネスカバー６０，６０を基板カバー４０，５０，７０と共に取り付けた状態を示してあり、窓孔２９，２９は、主基板４、電源基板５及び液晶制御基板７０と共に破線により示してある。
【００５２】
図１０は、実施の形態３の液晶表示装置の背面図、図１１は、実施の形態３のハーネスの接続部を拡大して示す平面図である。実施の形態３においては、図１１に示す如く、配線接続用の窓孔２９が、補強フレーム３の内側に全てを含めて形成してある。図１１と逆側（右側）の窓孔２９についても、同様に、補強フレーム３の内側となる位置に開設されている。この構成によれば、ハーネス６，６は、コネクタ２５，２５との接続部を含めて補強フレーム３，３内に収まるから、ハーネスカバー６０，６０を設ける必要がなく、更なる構成の簡素化を図ることができる。
【００５３】
なお図１１中には、窓孔２９、コネクタ２５、及び接続前のハーネス６を破線により示してあるが、コネクタ２５へのハーネス６の接続は、補強フレーム３の取り付け前に実施し、その後に補強フレーム３を取り付けることで実施の形態３の構成を実現することができる。図１０には、基板カバー４０，５０，７０を取り付けた状態を示してあり、補強フレーム３，３内に位置する窓孔２９，２９は、主基板４、電源基板５及び液晶制御基板７と共に破線により示してある。
【００５４】
以上の如き液晶表示装置は、テレビジョン放送を受信する受信部を備え、該受信部にて受信したテレビジョン放送に基づいて液晶パネル１に画像を表示するテレビジョン受信機として構成することができる。受信部は、テレビジョン放送に含まれる画像信号、音声信号の処理部と共に主基板４上に構成することができる。
【符号の説明】
【００５５】
１    液晶パネル
２    バックライトユニット
３    補強フレーム
４    主基板
５    電源基板
６    ハーネス
２０  バックライトシャーシ（筐体）
２１  導光板
２２  ＬＥＤ基板（素子基板）
２３  ＬＥＤ（固体発光素子）
２９  窓孔
６０  ハーネスカバー
【図１】
0005367867.tif 000002
【図２】
0005367867.tif 000003
【図３】
0005367867.tif 000004
【図４】
0005367867.tif 000005
【図５】
0005367867.tif 000006
【図６】
0005367867.tif 000007
【図７】
0005367867.tif 000008
【図８】
0005367867.tif 000009
【図９】
0005367867.tif 000010
【図１０】
0005367867.tif 000011
【図１１】
0005367867.tif 000012